(57)【要約】【課題】被昇降体の昇降に際して、いわゆる本体部分の横に大きな空間がなくても、伸縮操作を可能にする。【解決手段】設置面たる設置面Ｂ上などに配置されるベース体１と、このベース体１上に昇降可能に載置される昇降体２と、この昇降体２の軸芯部に螺装されて軸線が上下方向となる出力軸３とを有してなり、この出力軸３の上端部が昇降体２の上端から上方に突出する回動操作部３４とされてなる。【選択図】        図１
2004168504.tif 000002
【特許請求の範囲】
【請求項１】
設置面上に配置されるベース体と、このベース体上に昇降可能に載置される昇降体と、この昇降体の軸芯部に螺装されて軸線が上下方向となる出力軸とを有してなり、この出力軸の上端部が昇降体の上端から上方に突出する回動操作部とされてなることを特徴とするスクリュージャッキ
【請求項２】
ベース体と昇降体との間における相対回動を阻止する回動阻止構造が配在されてなる請求項１に記載のスクリュージャッキ
【請求項３】
ベース体が地盤面など設置面上に載置される適宜肉厚の板部と、この板部の中央部に連設されて上方に起立するガイド部とを有すると共に、昇降体がガイド部の上端面に対向しながら軸芯部に出力軸を螺装させる厚肉部と、この厚肉部の外周側から下方に垂下してガイド部の外周に摺接する筒状部とを有してなる請求項１に記載のスクリュージャッキ
【請求項４】
昇降体における厚肉部の軸芯部に出力軸の上端側螺条が螺合すると共に、ベース体におけるガイド部の軸芯部に出力軸の下端側螺条が螺合する一方で、出力軸の上端側螺条におけるネジピッチと出力軸の下端側螺条におけるネジピッチとに差が設けられてなる請求項３に記載のスクリュージャッキ
【請求項５】
出力軸における上端側螺条と下端側螺条との境界部に両側の螺条の外径より大きい外径のランド部を有してなる請求項４に記載のスクリュージャッキ
【発明の詳細な説明】
【０００１】
【発明の属する技術分野】
この発明は、スクリュージャッキに関し、特に、地盤面などの設置面上に適宜の隙間を有して配置される重量物たる被昇降体の昇降を可能にするスクリュージャッキの改良に関する。
【０００２】
【従来の技術】
地盤面などの設置面上に適宜の隙間を有して配置される重量物たる被昇降体の昇降を可能にするスクリュージャッキとしては、従来から種々の提案があるが、その多くが設置面と平行になる水平方向、あるいは、ほぼ水平方向からの操作でいわゆる伸縮するとしている（たとえば、特許文献１および特許文献２参照）。
【０００３】
すなわち、一のスクリュージャッキでは、下端に連結板を有する筒体の上端に水平方向に回動可能に受止められているナットの外周に水平方向に延在される棒状のハンドルが複数本連設されてなるとしている。ちなみに、ナットには下端側を筒体内に挿入するスクリューが螺合している。
【０００４】
それゆえ、この一のスクリュージャッキでは、これを伸縮させるについて、作業者は、ハンドルを回動すれば足りることになる。
【０００５】
つぎに、他のスクリュージャッキでは、下端に小傘歯車が噛み合う大傘歯車を有する主ネジ軸を収装する本体のケースに対して斜め方向に取り付けた軸にハンドル継手を接続するとしている。ちなみに、斜めに取り付けた軸には上記の小傘歯車が取り付けられている。
【０００６】
それゆえ、この他のスクリュージャッキにあって、これを伸縮させるについては、前記したところと同様に、作業者は、ハンドル継手に連繋したハンドルを回動すれば足りることになる。
【０００７】
【特許文献１】
特開平１０−１０１２９６号公報（明細書中の段落００１３，図１）
【特許文献２】
特開平１１−１３０３８２号公報（明細書中の段落０００６，図１）
【０００８】
【発明が解決しようとする課題】
しかしながら、上記した一のスクリュージャッキにあっては、ハンドルを水平方向に回動することで、これが伸縮するとしているから、スクリュージャッキのいわゆる本体部分の横にハンドルの回動操作を可能にするための空間が必要になる。
【０００９】
そして、上記した他のスクリュージャッキにあっても、斜めになっているハンドルを回動することで、これが伸縮するとしているから、スクリュージャッキのいわゆる本体部分の横に斜めにハンドルを配在させるための空間が必要になる。
【００１０】
それゆえ、上記したいずれのスクリュージャッキにあっても、地盤面などの設置面上に適宜の隙間を有して配置される被昇降体を昇降させるについて、スクリュージャッキの横にハンドルを延在させあるいは配在させる空間がない状況下では、これを利用できないことになる。
【００１１】
この発明は、上記した現状を鑑みて創案されたものであって、その目的とするところは、被昇降体の昇降に際して、いわゆる本体部分の横に大きな空間がなくても伸縮操作を可能にし、その汎用性の向上を期待するのに最適となるスクリュージャッキを提供することである。
【００１２】
【課題を解決するための手段】
上記した目的を達成するため、この発明によるスクリュージャッキの構成を、基本的には、地盤面など設置面上に配置されるベース体と、このベース体上に昇降可能に載置される昇降体と、この昇降体の軸芯部に螺装されて軸線が上下方向となる出力軸とを有してなり、この出力軸の上端部が昇降体の上端から上方に突出する回動操作部とされてなるとする。
【００１３】
それゆえ、出力軸の回動操作部が出力軸の軸線方向に沿う回動操作部の上方となるから、スクリュージャッキのいわゆる本体部分の横に大きな空間がなくても回動操作部の回動が可能になる。
【００１４】
そして、上記した構成において、より具体的には、ベース体と昇降体との間における相対回動を阻止する回動阻止構造が配在されてなるとする。
【００１５】
それゆえ、無負荷状態のスクリュージャッキを伸縮し得ると共に、設置面上に配置されるベース体が固定状態におかれる場合には、昇降体に作用する負荷が小さくても、昇降体がベース体に対して回動することなく昇降し得ることになる。
【００１６】
また、ベース体が地盤面など設置面上に載置される適宜肉厚の板部と、この板部の中央部に連設されて上方に起立するガイド部とを有すると共に、昇降体がガイド部の上端面に対向しながら軸芯部に出力軸を螺装させる厚肉部と、この厚肉部の外周側から下方に垂下してガイド部の外周に摺接する筒状部とを有してなるとする。
【００１７】
それゆえ、出力軸の回動操作でベース体に対して昇降体を昇降させるときに、昇降体がベース体から脱落したり、昇降体がベース体に対して転倒したりすることをあらかじめ阻止し得ることになる。
【００１８】
このとき、昇降体における厚肉部の軸芯部に出力軸の上端側螺条が螺合すると共に、ベース体におけるガイド部の軸芯部に出力軸の下端側螺条が螺合する一方で、出力軸の上端側螺条におけるネジピッチと出力軸の下端側螺条におけるネジピッチとに差が設けられてなるとするのが好ましい。
【００１９】
これによって、出力軸における操作力に対する推力の比を大きくし得ることになり、それゆえ、出力軸に大きな操作力を作用しなくても、昇降体を昇降でき、したがって、出力軸における回動操作部にいわゆる横幅を大きくするトルクレンチなどの大型工具を連繋させるための空間を要しないことになる。
【００２０】
また、出力軸における上端側螺条と下端側螺条との境界部に両側の螺条の外径より大きい外径のランド部を有してなるとするのが好ましい。
【００２１】
これによって、出力軸の過回動で、この出力軸が昇降体あるいはベース体から抜け落ちるような不具合の招来をあらかじめ阻止し得ることになる。
【００２２】
ちなみに、上記の出力軸における上端側螺条と下端側螺条は、同一径にして同一方向の螺条とされるのが好ましく、この場合には、この出力軸を形成するための母材におけるコストの低廉化を可能にし得ることになる。
【００２３】
【発明の実施の形態】
以下に、図示した実施形態に基づいて、この発明を説明するが、この発明によるスクリュージャッキは、ここでは、図１に示すように、地盤面などの設置面Ｂ上に適宜の隙間Ｓを有して配置される重量物たる被昇降体Ｗを設置面Ｂに対して水平に位置決め、あるいは、設置面Ｂに対して垂直に位置決める際に利用するとしている。
【００２４】
このとき、被昇降体Ｗは、図示しないが、たとえば、設置面Ｂ上に半球状に形成されるいわゆるマウンドの頂部に支持された仮設状態に維持されていて、したがって、この被昇降体Ｗは、スクリュージャッキでいわゆる片隅あるいは片方が昇降されることで、設置面Ｂに対する傾斜角度が変わるとしている。
【００２５】
ところで、この発明によるスクリュージャッキは、基本的には、ベース体１と、昇降体２と、出力軸３とを有してなり、出力軸３に対する回動操作によって、ベース体１に対して昇降体２が昇降するとしている。
【００２６】
このとき、図示するところでは、ベース体１と昇降体２との間にベース体１に対して昇降体２が回動するのを阻止する回動阻止構造４が配在されてなるとしている。
【００２７】
少し説明すると、ベース体１は、設置面たる設置面Ｂ上に配置されるもので、図示するところでは、設置面Ｂ上に載置される適宜肉厚の板部１１と、この板部１１の中央部に一体に連設されて上方に起立する言わば柱状あるいはブロック状のガイド部１２とを有してなるとしている。
【００２８】
このとき、図示するところでは、板部１１の中央部には孔１１ａが開穿されていて、この孔１１ａをいわゆる水抜き孔に設定する一方で、後述する出力軸３のいわゆる下端がベース体１に干渉することを防止するとしている。
【００２９】
これによって、出力軸３のいわゆる基本長をベース体１に干渉しない範囲内で長短選択できることになり、ベース体１に対する昇降体２の最大ストロークを調整し得ることになる。
【００３０】
これに対して、昇降体２は、ベース体１上に、すなわち、図示するところでは、上記の板部１１上に昇降可能に載置されるとしている。
【００３１】
ところで、昇降体２がベース体１に対して昇降可能とされる観点からすれば、昇降体２とベース体１との間における相対回動が阻止される限りには、この昇降体２がベース体１に重ねられる状態に連繋されるとしても良いことになる。
【００３２】
ただ、昇降体２がベース体１に重ねられる状態に連繋される場合には、昇降体２が昇降する際に、昇降体２がベース体１から脱落したり、昇降体２がベース体１に対して転倒したりすることをあらかじめ阻止しておく必要がある。
【００３３】
そこで、このスクリュージャッキにあって、図示するところでは、昇降体２がベース体１にいわゆる被さる態勢に連繋するとしている。
【００３４】
すなわち、より具体的には、昇降体２が上記のベース体１におけるガイド部１２の上端面に対向しながら軸芯部に上記の出力軸３を螺装させる厚肉部２１と、この厚肉部２１の外周側から下方に垂下してガイド部１２の外周に摺接する筒状部２２とを有してなるとしている。
【００３５】
それゆえ、昇降体２は、ベース体１に対する昇降の際に、ベース体１から脱落したり、ベース体１に対して転倒したりせずして昇降し得ることになる。
【００３６】
なお、この昇降体２は、その昇降時に被昇降体Ｗを昇降させることから、筒状部２２の下端外周に被昇降体Ｗの下方に延在される引掛け部２３を有してなるとしている。
【００３７】
そして、この引掛け部２３は、図示するところでは、筒状部２２の下端外周を部分的に膨出させるようにして形成されるとしているが、この引掛け部２３が機能することを勘案すると、後述する回動阻止構造４との干渉を回避できる限りにおいて、図示しないが、自由な形態に、また、自由な構成に形成されて良いことはもちろんである。
【００３８】
一方、出力軸３は、上記した昇降体２の、すなわち、上記した厚肉部２２の軸芯部に螺装されて軸線が上下方向となるとしており、図示するところでは、中間部のランド部３１を挟んで上端側螺条３２と下端側螺条３３とを有してなるとしている。
【００３９】
そして、この出力軸３にあっては、上端側螺条３２が上記の厚肉部２２の軸芯部に螺合するのに対して、下端側螺条３３が上記のガイド部１２の軸芯部に螺合するとしている。
【００４０】
このとき、この出力軸３にあっては、上端側螺条３２におけるネジピッチと下端側螺条３３におけるネジピッチとの間に差が設けられてなるとしており、これによって、出力軸３への操作力に対する推力の比を大きくし得るとしている。
【００４１】
また、この出力軸３にあっては、昇降体２の上端、すなわち、厚肉部２２の上端から上方に突出する上端部が回動操作部３４とされており、図示するところでは、六角柱状に形成されていて、スパナなどの小型工具を利用しての回動操作を可能にしている。
【００４２】
それゆえ、この出力軸３にあっては、たとえば、上端側螺条３２のネジピッチを２．５とし、下端側螺条３３のネジピッチを２．０とする条件下で、回動操作部３４を一回転させる場合には、ベース体１を２．５−２．０＝０．５ピッチだけ前進させ得ることになる。
【００４３】
このとき、ベース体１は、設置面Ｂ上に配置されていて、その動きが規制される言わば固定状態にあるから、その反射として昇降体２が上記の０．５ピッチだけ昇降することになる。
【００４４】
したがって、上記した出力軸３にあっては、上記の設定のときに、その移動量の１／５だけを昇降体２の移動量とし得ることになり、その分、操作力に対して大きい推力を発現し得ることになる。
【００４５】
ちなみに、上記のランド部３１は、上端側螺条３２および下端側螺条３３となる両側の螺条の外径より大きい外径を有しており、したがって、この出力軸３の過回動で、この出力軸３が昇降体２あるいはベース体１から抜け出す不具合の招来をあらかじめ阻止し得ることになる。
【００４６】
また、上記した上端側螺条３２と下端側螺条３３は、同一径にして同一方向の螺条とされているが、これによって、この出力軸３の形成する際の母材における径に大小を設けなくて済み、したがって、この出力軸３を形成するための母材におけるコストの低廉化を可能にし得る点で有利となる。
【００４７】
回動阻止構造４は、前記したベース体１に起立するガイド片４１と、前記した昇降体２に突設したガイドピン４２とを有してなり、ガイド片４１の上端側に形成のガイド溝４１ａ内にガイドピン４２を案内させることで、ベース体１に対する昇降体２の回動を阻止するとしている。
【００４８】
このとき、ガイド片４１は、詳しくは図示しないが、ベース体１の板部１１にボルト利用などの適宜の手段で展設される平面視で円弧状に形成の台片４３に溶接によって一体に連設されてなるとしている。
【００４９】
ちなみに、このガイド片４１が機能するところを鑑みれば、上記の台片４３の配在が省略されて、このガイド片４１がベース体１の板部１１に直接連設されるとしても良いことはもちろんである。
【００５０】
また、ガイドピン４２は、昇降体２を構成する筒状部２２の外周に植設する態様に突設されてなり、このとき、溶接によって昇降体からの抜け落ちが阻止されるとしている。
【００５１】
それゆえ、上記したスクリュージャッキにあっては、出力軸３の回動操作部３４に対する回動操作を出力軸３の軸線方向たる回動操作部３４の上方から実行し得ることになり、したがって、スクリュージャッキのいわゆる本体部分の横に大きな空間がなくても伸縮操作が可能になる。
【００５２】
このとき、上記の出力軸３にあっては、上端側螺条３２におけるネジピッチと下端側螺条３３におけるネジピッチとの間に差が設けられているから、出力軸３への操作力に対する推力の比を大きくし得ることになる。
【００５３】
このことからすれば、このスクリュージャッキにあっては、出力軸３を回動操作するについて、小さい操作力で足りることになり、それゆえ、スパナなどの小型工具を利用しての回動操作を可能にし得ることになり、この観点からしても、スクリュージャッキの本体部分の横に大きな空間が確保されてなくても良いことになる。
【００５４】
そして、このスクリュージャッキにあっては、出力軸３を回動操作するについて、大きい操作力を発揮し得るトルクレンチなどの大型工具を利用しなくて済むから、この観点からしても、スクリュージャッキにおける本体部分の横に大きい空間を確保しなくても済むことになる。
【００５５】
前記したところでは、出力軸３における両側の螺条３２，３３が中央のランド部３１を挟んで同一ネジ径で同一方向の螺条に設定されてなるとしたが、これに代えて、図示しないが、ターンバックル原理のように、同一ネジ径でありながら逆方向の螺条とされても良いことはもちろんである。
【００５６】
そして、図示するスクリュージャッキでは、ハンドルを有していないが、昇降体２がハンドルを有していて、このハンドルの利用でスクリュージャッキの搬送を可能にするとしても良い。
【００５７】
この場合に、このスクリュージャッキにあっては、昇降体２が出力軸３を介してベース体１に言わば一体的に連繋されているから、他に連繋手段を設けることなく、ハンドルで昇降体２を吊持することで、このスクリュージャッキの搬送が可能になる。
【００５８】
【発明の効果】
以上のように、請求項１の発明にあっては、出力軸の回動操作部に対する回動操作を出力軸の軸線方向たる回動操作部の上方から実行し得ることになり、したがって、スクリュージャッキにおける本体部分の横に大きな空間がない場合でも、スクリュージャッキの伸縮操作による被昇降体の昇降が可能になる。
【００５９】
そして、請求項２の発明にあっては、無負荷状態のスクリュージャッキを伸縮し得ると共に、設置面上に配置されるベース体が固定状態におかれる場合には、昇降体に作用する負荷が小さくても、昇降体がベース体に対して回動することなく昇降し得ることになる。
【００６０】
また、請求項３の発明にあっては、出力軸の回動操作でベース体に対して昇降体を昇降させるときに、昇降体がベース体から脱落したり、昇降体がベース体に対して転倒したりすることをあらかじめ阻止し得ることになる。
【００６１】
さらに、請求項４の発明にあっては、出力軸を一回転させるときに上端側螺条のネジピッチに対して下端側螺条のネジピッチの方が小さくなるように設定されることで、ベース体を差動ネジ原理で移動させ得ることになり、それゆえ、出力軸における操作力に対する推力の比を大きくし得ることになる。
【００６２】
それゆえ、出力軸に大きな操作力を作用しなくても、昇降体を昇降でき、したがって、出力軸における回動操作部にいわゆる横幅を大きくするトルクレンチなどの大型工具を連繋させるための空間を要しないことになる。
【００６３】
そしてさらに、請求項５の発明にあっては、出力軸の過回動で、この出力軸が昇降体あるいはベース体から抜け落ちるような不具合の招来をあらかじめ阻止し得ることになる。
【００６４】
このとき、上記の出力軸における上端側螺条と下端側螺条が同一径にして同一方向の螺条とされる場合には、この出力軸を形成するための母材におけるコストの低廉化を可能にし得ることになる。
【００６５】
その結果、この発明によれば、被昇降体の昇降に際して、いわゆる本体部分の横に大きな空間がなくても伸縮操作が可能になり、その汎用性の向上を期待するのに最適となる。
【図面の簡単な説明】
【図１】この発明によるスクリュージャッキを示す縦断面図である。
【符号の説明】
１  昇降体
２  ベース体
３  出力軸
４  回動阻止構造
１１  板部
１２  ガイド部
２１  厚肉部
２２  筒状部
２３  引掛け部
３１  ランド部
３２  上端側螺条
３３  下端側螺条
４１  ガイド片
４１ａ  ガイド溝
４２  ガイドピン
４３  台片
Ｂ  設置面
Ｗ  被昇降体
Ｓ  隙間
【図１】
2004168504.tif 000003